(57)【要約】      （修正有）【課題】取付環境の影響を抑えると共に、補修部品が少なく、補修コストを抑えることができるローラー装置を提供する。【解決手段】支持枠に自身の軸線を中心として正逆回転可能に取り付けられ、内部に空洞を有するローラーパイプ１０と、ローラーパイプ１０の端部に設けられ、該端部を覆うエンドカバー２１とエンドカバー２１の支持枠側の外側面２１１から軸方向に延伸し、対応する支持枠と着脱可能に設けられた定位柱２２と、エンドカバー２１のローラーパイプ側の内側面２１２から軸方向に延伸し、前記ローラーパイプ１０内に挿入可能とした支持柱２３と、ローラーパイプ１０の空洞内に設けられ、前記支持柱２３が回転可能に支持柱２３と嵌合するスリーブ筒２４と、エンドカバー２１の外側に装着される金属製緩衝手段２５とを備えている。【選択図】図１
0003162850.tif 000002
【実用新案登録請求の範囲】
【請求項１】
スクリーンの繰り出しと巻き取りができるように、所定の距離を隔てて対向した一対の支持枠に正逆回転可能に架設されるロールシェード用のローラー装置であって、
前記支持枠に自身の軸線を中心として正逆回転可能に取り付けられ、内部に空洞を有するローラーパイプと、
前記ローラーパイプの端部に設けられ、該端部を覆うエンドカバーと、
前記エンドカバーの前記支持枠側の外側面に、軸方向に延伸して対向する一対の第１の側面と、前記第１の側面と各々交わる一対の第２の側面とにより筒体に画成され、対応する前記支持枠と着脱可能に設けられた定位柱であって、前記第１の側面の前記エンドカバーの外側面側の端部に、前記エンドカバーの外側面に接して設けられたスロットを有する定位柱と、
前記エンドカバーの前記ローラーパイプ側の内側面に、軸方向に延伸するように設けられ、前記ローラーパイプ内に挿入可能とした支持柱と、
前記ローラーパイプの空洞内に設けられ、前記支持柱が回転可能に前記支持柱と嵌合するスリーブ筒と、
前記エンドカバーの外側に装着される金属製緩衝手段であって、前記定位柱が嵌入して前記エンドカバーの外側面に当接するリング部と、前記リング部の外縁から前記当接する面と反対側に、かつ前記支持柱の中心軸から離れるように、ハの字型に広がる２枚の緩衝部材と、前記リング部の内縁から突き出て形成され、前記定位柱に設けられたスロット内で係止する爪部とを有する金属製緩衝手段とを備えていることを特徴とするローラー装置。
【請求項２】
前記２枚の緩衝部材は、前記リング部に前記定位柱が嵌入したとき、前記一対の第１の側面の各々に対向するように、それぞれ配置されることを特徴とする請求項１に記載のローラー装置。
【請求項３】
前記定位柱は更に、前記一対の第１の側面の各面にそれぞれ、前記定位柱２２の嵌入方向に沿って凸設された一対の第１のリブを有し、
この一対の第１のリブにより前記爪部を前記スロットに導く第１の案内溝が画成されることを特徴とする請求項１または請求項２に記載のローラー装置。
【請求項４】
前記緩衝手段は更に、前記リング部の内縁に、一対の凸部を有し、
前記定位柱は更に、前記一対の第２の側面の各面にそれぞれ、前記定位柱の嵌入方向に沿って凸設された一対の第２のリブを有し、
この一対の第２のリブにより前記一対の凸部を導く第２の案内溝が画成されることを特徴とする請求項３に記載のローラー装置。
【考案の詳細な説明】
【技術分野】
【０００１】
本考案はロールシェードに用いられるローラー装置に関する。
【背景技術】
【０００２】
図３、４に、従来のロールシェード用のローラー装置４を示す。従来のローラー装置４は、所定の距離を隔てて対向した一対の支持枠３、３に架設される。ローラー装置４は、正逆回転可能に取り付けられたローラーパイプ４１を備え、このローラーパイプ４１にスクリーン(図示せず)の上端が固定され、ローラーパイプ４１の正逆回転によりスクリーンの繰り出しと巻き取りができるようになっている。支持枠３、３には互いに同軸に対向する通し穴３１、３１が形成されている。ローラーパイプ４１には、軸方向両側からそれぞれ延伸して対応する通し穴３１、３１に着脱可能な支持手段４２とブレース手段４３とが設けられている。支持手段４２には、ローラーパイプ４１の右端開口を塞ぐエンドカバー４２１と、常時ローラーパイプ４１から伸縮可能に突き出るように形成されて対応する通し穴３１に着脱可能な伸縮ロッド４２２とが設けられている。ブレース手段４３は、プラスチックによりつくられており、ローラーパイプ４１の左端開口を塞ぐエンドカバー４３１と、エンドカバー４３１の両側面からそれぞれ突き出てローラーパイプ４１の内部及び対応する通し穴３１に挿入して定位される支柱４３２と、支柱４３２のうちローラーパイプ４１の内部に挿入された部分に対して回転可能に取り付けられたねじ筒４３３とからなっている。２枚の板材４４、４４が図４に示されているように側面から見てハの字形になるようにブレース手段４３のエンドカバー４３１に取り付けられ、それぞれの一端４４ａ、４４ａがエンドカバー４３１の外端面４３１ａに固定され、他端４４ｂ、４４ｂが外向きに斜めに延伸されて対応する支持枠３に接触するようになっている。
【０００３】
この従来のロールシェードを支持枠３、３に架設するとき、図３、４に示すように、ブレース手段４３の支柱４３２を対応する支持枠３、３の通し穴３１に挿通し、エンドカバー４３１と支持枠３との間に所定の間隔を置いて、２枚の弾性を有する板材４４、４４の他端４４ｂ、４４ｂを支持枠３に当接させる。伸縮ロッド４２２は、押圧されながら支持枠３の通し穴３１に位置を合わせ、押圧状態が解除されると、当該通し穴３１に挿通される。このようにすると、ロールシェードの支持枠３、３への取り付けを簡単に行うことができる。また、弾性を有する板材４４、４４が支持枠３に当接しているので、スクリーンの繰り出しと巻き取りの際に生じるローラーパイプ４１の横向きの揺れを緩和することができ、ロールシェードの支持枠３からの取り外しも簡単に行うことができる。
【考案の概要】
【考案が解決しようとする課題】
【０００４】
上記従来のローラー装置４によれば、支持枠３への着脱を簡単に行うことができるが、ブレース手段４３がプラスチック製であるため、例えば−３０℃などの低温環境で用いられると、構成的に脆くなり、支持枠３に対する弾性が弱くなって、断裂する虞がある。また、板材４４の弾性が弱まることによりローラーパイプ４１の揺れを緩和しにくくなり、ローラーパイプ４１とねじ筒４３３のエンドカバー４３１に対する押圧が強くなってローラーパイプ４１が滑らかに回転できなくなる虞があり、スクリーンの繰り出しと巻き取りがスムーズに行われない問題点がある。そして、ブレース手段４３が破損した場合、ブレース手段４３の全体を取り替える必要があり、コストアップにつながる。
本考案は、取付環境の影響を抑えると共に、補修部品が少なく、補修コストを抑えることができるロールシェード用ローラー装置を提供することを目的とする。
【課題を解決するための手段】
【０００５】
上記目的を達成するために、本考案のローラー装置は、スクリーンの繰り出しと巻き取りができるように、所定の距離を隔てて対向した一対の支持枠に正逆回転可能に架設されるロールシェード用のローラー装置であって、前記支持枠に自身の軸線を中心として正逆回転可能に取り付けられ、内部に空洞を有するローラーパイプと、前記ローラーパイプの端部に設けられ、該端部を覆うエンドカバーと、前記エンドカバーの前記支持枠側の外側面に、軸方向に延伸して対向する一対の第１の側面と、前記第１の側面と各々交わる一対の第２の側面とにより筒体に画成され、対応する前記支持枠と着脱可能に設けられた定位柱であって、前記第１の側面の前記エンドカバーの外側面側の端部に、前記エンドカバーの外側面に接して設けられたスロットを有する定位柱と、前記エンドカバーの前記ローラーパイプ側の内側面に、軸方向に延伸するように設けられ、前記ローラーパイプ内に挿入可能とした支持柱と、前記ローラーパイプの空洞内に設けられ、前記支持柱が回転可能に前記支持柱と嵌合するスリーブ筒と、前記エンドカバーの外側に装着される金属製緩衝手段であって、前記定位柱が嵌入して前記エンドカバーの外側面に当接するリング部と、前記リング部の外縁から前記当接する面と反対側に、かつ前記支持柱の中心軸から離れるように、ハの字型に広がる２枚の緩衝部材と、前記リング部の内縁から突き出て形成され、前記定位柱に設けられたスロット内で係止する爪部とを有する金属製緩衝手段とを備えていることを特徴とする。
【０００６】
本考案のローラー装置において、前記２枚の緩衝部材は、前記リング部に前記定位柱が嵌入したとき、前記一対の第１の側面の各々に対向するように、それぞれ配置される。
【０００７】
本考案のローラー装置において、前記定位柱は更に、前記一対の第１の側面の各面にそれぞれ、前記定位柱の嵌入方向に沿って凸設された一対の第１のリブを有し、この一対の第１のリブにより前記爪部を前記スロットに導く第１の案内溝が画成される。
【０００８】
本考案のローラー装置において、前記緩衝手段は更に、前記リング部の内縁に、一対の凸部を有し、前記定位柱は更に、前記一対の第２の側面の各面にそれぞれ、前記定位柱の嵌入方向に沿って凸設された一対の第２のリブを有し、この一対の第２のリブにより前記一対の凸部を導く第２の案内溝が画成される。
【考案の効果】
【０００９】
上記構成によれば、本考案のローラー装置は、緩衝手段が別体に装着されているため、緩衝手段が破損した場合、ローラー装置全体を取り替える必要がなく、緩衝手段のみを取り替えることができるので、補修コストを抑えることができる。また、緩衝手段が金属製であるため、取付環境の影響を受けにくい効果もある。
【図面の簡単な説明】
【００１０】
【図１】本考案の一実施形態であるロールシェード用ローラー装置の分解斜視図である。
【図２】図１のローラー装置が支持枠に取り付けられたときの組立上面図である。
【図３】従来例のロールシェード用ローラー装置の使用状態を示す正面図である。
【図４】従来例のロールシェード用ローラー装置の左側部分の構造を示す拡大図である。
【考案を実施するための形態】
【００１１】
以下、本考案の実施形態を図面に基づいて説明する。なお、同一構成及び機能を有する構成要素については、同一番号を付してその説明を省略する。
図１及び図２は、本考案の一実施形態であるロールシェード用ローラー装置１の構成を詳細に示す図である。
【００１２】
本考案にかかるローラー装置１は、スクリーンの繰り出しと巻き取りができるように、所定の距離を隔てて対向した一対の支持枠３に自身の軸線を中心として正逆回転可能に架設されるものであり、支持枠３に自身の軸線を中心として正逆回転可能に取り付けられ、内部に空洞を有するローラーパイプ１０と、ローラーパイプ１０の一方の端部１０ａに設けられ、該端部１０ａを覆うエンドカバー２１と、エンドカバー２１の支持枠３側の外側面２１１から軸方向に延伸し、対応する支持枠３と着脱可能に設けられた定位柱２２と、エンドカバー２１のローラーパイプ側の内側面２１２から軸方向に延伸し、ローラーパイプ１０内に挿入可能とした支持柱２３と、ローラーパイプ１０の空洞内に設けられ、支持柱２３が回転可能に支持柱２３と嵌合するスリーブ筒２４と、エンドカバー２１の外側に装着される金属製緩衝手段２５とを備えている。
【００１３】
定位柱２２は、軸方向に延伸して対向する一対の第１の側面２２７と、第１の側面２２７と各々交わる一対の第２の側面２２８とにより筒体に画成される。また、一対の第１の側面２２７の各面にそれぞれ、定位柱２２の軸方向に沿って凸設された一対の第１のリブ２２２を有し、一対の第２の側面２２８の各面にそれぞれ、定位柱２２の嵌入方向に沿って凸設された一対の第２のリブ２２３を有する。図１に示すように、一対の第１のリブ２２２により第１の案内溝２２４が画成され、一対の第２のリブ２２３により第２の案内溝２２５が画成される。また、それぞれの第１の側面２２７におけるエンドカバー２１の外側面２１１側の端部には、該外側面２１１に接したスロット２２６が設けられている。第１の案内溝２２４をエンドカバー２１方向にたどるとスロット２２６に至る。
【００１４】
緩衝手段２５は、リング部２５１と、２枚の緩衝部材２５２と、一対の爪部２５３と、一対の凸部２５４とを有する。
【００１５】
リング部２５１は、定位柱２２が嵌入してエンドカバー２１の外側面２１１に当接する。
【００１６】
２枚の緩衝部材２５２は、リング部２５１の外縁からエンドカバー２１の外側面２１１と反対側に、かつ支持柱の中心軸から離れるようにハの字型に広がるように形成され、リング部２５１に定位柱２２が嵌入したとき、一対の第１の側面２２７の各々に対向するようにそれぞれ配置される。
【００１７】
一対の爪部２５３は、リング部２５１の内縁からエンドカバー２１の外側面２１１と反対側に、かつ支持柱の中心軸から離れるようにハの字型に広がるように形成され、リング部２５１に定位柱２２が嵌入したとき、第１の案内溝２２４に沿って滑り移動することができる。また、各爪部２５３は、その幅が第１の案内溝２２４の幅よりも小さく形成されている。
【００１８】
一対の凸部２５４は、リング部２５１の内縁から突き出て形成され、リング部２５１に定位柱２２が嵌入したとき、第２の案内溝２２５に沿って滑り移動することができる。また、各凸部２５４は、その幅が第２の案内溝２２５の幅よりも小さく形成されている。
【００１９】
定位柱２２に緩衝手段２５を装着し、リング部２５１をエンドカバー２１に近づけていくと、一対の凸部２５４が第２の案内溝２２５のエンドカバー側の端部で止まり、一対の爪部２５３が第１の案内溝２２４により導かれてスロット２２６内に係止され、リング部２５１がエンドカバー２１を押しつけるように当接する。このようにして緩衝手段２５が定位柱２２に安定した状態に固定される。
【００２０】
ローラー装置１の使用時において、ローラーパイプ１０は、一端がスリーブ筒２４の外側に設けられ、他端(図示せず)に図３に示すような支持手段４２が装着される。本実施例において、スリーブ筒２４はローラーパイプ１０に固定または螺着されている。
【００２１】
ローラー装置１を支持枠３、３に架設するとき、定位柱２２を支持枠３に形成された互いに対向する通し穴３１，３１に挿通し、２枚の緩衝部材２５２を支持枠３に弾性的に接触させる。
【００２２】
ローラーパイプ１０及びスリーブ筒２４が支持柱２３に対して回転することによりローラーパイプ１０に固定されたスクリーン(図示せず)の繰り出しまたは巻き取りが行われるとき、２枚の緩衝部材２５２により揺れを緩和することができ、ローラーパイプ１０が滑らかに回転でき、スクリーンの繰り出しまたは巻き取りをスムーズに行うことが可能となる。
【００２３】
特に、本考案におけるローラー装置１の金属製緩衝手段２５は、環境温度に関らず揺れを緩和する効果を有するので、ローラーパイプ１０が滑らかに回転できる。また、緩衝手段２５は、支持柱２２に嵌入して装着されているため、破損しても緩衝手段２５のみを取り替えることができるので、補修コストを抑えることができる。
【００２４】
以上により、本考案のローラー装置１は、緩衝手段２５が金属製であるため、取付環境に影響を受けにくく、ローラーパイプ１０が滑らかに回転でき、緩衝手段２５が別体に装着されているため、緩衝手段２５が破損した場合、ローラー装置１全体を取り替える必要がなく、緩衝手段２５のみを取り替えることができるので、補修部品が少なく、補修コストを抑えることができる。
【符号の説明】
【００２５】
１    ローラー装置
１０    ローラーパイプ
１０ａ    端部
２１    エンドカバー
２１１    外側面
２１２    内側面
２２    定位柱
２２２    第１のリブ
２２３    第２のリブ
２２４    第１の案内溝
２２５    第２の案内溝
２２６    スロット
２２７    第１の側面
２２８    第２の側面
２３    支持柱
２４    スリーブ筒
２５    緩衝手段
２５１    リング部
２５２    緩衝部材
２５３    爪部
２５４    凸部
３    支持枠
３１    通し穴
【図１】
0003162850.tif 000003
【図２】
0003162850.tif 000004
【図３】
0003162850.tif 000005
【図４】
0003162850.tif 000006